【手続補正書】
【提出日】平成24年12月25日(2012.12.25)
【手続補正１】
【補正対象書類名】特許請求の範囲
【補正対象項目名】全文
【補正方法】変更
【補正の内容】
【特許請求の範囲】
【請求項１】
第１の描画処理能力を有する第１のグラフィックスチップと、
前記第１の描画処理能力よりも高い第２の描画処理能力を有する第２のグラフィックスチップと、
前記第１の描画処理能力に対応するデータと、前記第２の描画処理能力に対応するデータのいずれを出力するかを決定し、
バッテリと外部電源のいずれから電源が供給されているかを検出し、
前記決定結果及び前記検出結果に基づいて、前記第１のグラフィックスチップ及び前記第２のグラフィックスチップのいずれかを切り替えて動作させ、
前記グラフィックスチップの切り替えにより、実行中のアプリケーションの動作に支障が生じるか否かを判断し、前記アプリケーションの動作に支障が生じる場合に通知する
制御部と
を具備する情報処理装置。
【請求項２】
請求項１に記載の情報処理装置であって、
前記第２の描画処理能力に対応するインターフェースを具備する
情報処理装置。
【請求項３】
請求項２に記載の情報処理装置であって、
前記制御部は、前記インターフェースとの接続を検出することにより前記第２の描画処理能力に応じたデータの出力を決定する
情報処理装置。
【請求項４】
請求項１に記載の情報処理装置であって、
前記制御部は、起動されているアプリケーションが前記第２の描画処理能力に適合することを検出することにより前記第２の描画処理能力に応じたデータの出力を決定する
情報処理装置。
【請求項５】
請求項１に記載の情報処理装置であって、
前記制御部は、外部接続端子を介して電源が供給されていることを検出することにより、電源が前記外部電源から供給されていることを検出する
情報処理装置。
【請求項６】
請求項１に記載の情報処理装置であって、
前記制御部は、前記第２の描画処理能力に応じたデータを出力すると決定された場合に前記第２のグラフィックスチップを選択する
情報処理装置。
【請求項７】
請求項１に記載の情報処理装置であって、
前記制御部は、前記第２の描画処理能力に応じたデータを出力すると決定された場合に前記第２のグラフィックスチップを選択する
情報処理装置。
【請求項８】
請求項１に記載の情報処理装置であって、
前記制御部は、前記第２の描画処理能力に応じたデータを出力しないと決定された場合に前記第１のグラフィックスチップを選択する
情報処理装置。
【請求項９】
請求項１に記載の情報処理装置であって、
前記制御部は、電源が前記バッテリにより供給されることが検出された場合に前記第１のグラフィックスチップを選択する
情報処理装置。
【請求項１０】
請求項１に記載の情報処理装置であって、
前記制御部は、前記第１のグラフィックスチップと前記第２のグラフィックスチップを切り替える場合に通知を表示する
情報処理装置。
【請求項１１】
請求項１に記載の情報処理装置であって、
前記制御部は、前記第１のグラフィックスチップまたは前記第２のグラフィックスチップが選択された場合に通知する
情報処理装置。
【請求項１２】
請求項１１に記載の情報処理装置であって、
前記制御部は、前記第１のグラフィックスチップまたは前記第２のグラフィックスチップの選択に応じて電力消費値を表示する
情報処理装置。
【請求項１３】
請求項１に記載の情報処理装置であって、
前記制御部は、グラフィックスチップの切り替えにより動作に支障が生じるアプリケーションが終了された場合に、前記第１のグラフィックスチップまたは前記第２のグラフィックスチップを切り替える
情報処理装置。
【請求項１４】
請求項１に記載の情報処理装置であって、
前記第１のグラフィックスチップは、動作中に第１の電力量を消費し、
前記第２のグラフィックスチップは、動作中に、前記第１の電力量より大きい第２の電力量を消費する
情報処理装置。
【請求項１５】
請求項１４に記載の情報処理装置であって、
前記制御部は、前記第１のグラフィックスチップと前記第２のグラフィックスチップを自動で選択する第１のモードと、前記第１のグラフィックスチップが選択され、ユーザ入力に応じて前記第２のグラフィックスチップに切り替える第２のモードと、前記第２のグラフィックスチップが選択され、ユーザ入力に応じて前記第１のグラフィックスチップに切り替える第３のモードを制御する
情報処理装置。
【請求項１６】
請求項１５に記載の情報処理装置であって、
前記第１のモード、前記第２のモードおよび前記第３のモードに応じた位置を移動するスイッチを具備する
情報処理装置。
【請求項１７】
請求項１６に記載の情報処理装置であって、
前記スイッチは三角形状であり、前記第１のモード、前記第２のモードおよび前記第３のモードに対応した三角形状の角を移動する
情報処理装置。
【請求項１８】
請求項１５に記載の情報処理装置であって、
前記制御部は、前記第２のモードにおいて、前記第２のグラフィックスチップに対応したデータを出力すると決定した場合、表示部に通知を表示する
情報処理装置。
【請求項１９】
請求項１５に記載の情報処理装置であって、
前記制御部は、前記第２のモードにおいて、前記第２のグラフィックスチップに対応したデータを出力すると決定した場合、表示部に通知を表示する
情報処理装置。
【請求項２０】
第１の描画処理能力を有し第１の映像信号を生成する第１のグラフィックスチップと、
前記第１の描画処理能力よりも高い第２の描画処理能力を有し第２の映像信号を生成する第２のグラフィックスチップと、
前記第１のグラフィックスチップ及び第２のグラフィックスチップのいずれかを切り替えて動作させる切替部と、
前記第１のグラフィックスチップまたは前記第２のグラフィックスチップの動作中に実行されるアプリケーションを記憶する記憶部と、
前記第１の映像信号または前記第２の映像信号を表示する表示部と、
前記第２の映像信号を外部表示装置へ出力するために当該外部表示装置と接続する接続部と、
前記第１のグラフィックスチップを常時動作させる第１のモードと、前記第２のグラフィックスチップを常時動作させる第２のモードと、前記接続部に前記外部表示装置が接続されているか否かに応じて前記第１のグラフィックスチップと前記第２のグラフィックスチップのいずれかの動作を切り替える第３のモードとをそれぞれ実行するように前記切替部を制御し、かつ、前記各グラフィックスチップの動作の切り替えにより、実行中の前記アプリケーションの動作に支障が生じるか否かを判断し、当該支障が生じると判断した場合に、当該アプリケーションの名前を表示するように前記表示部を制御する制御部と
を具備する情報処理装置。
【請求項２１】
第１のグラフィックスチップが有する第１の描画処理能力に対応するデータと、第２のグラフィックスチップが有する、前記第１の描画処理能力よりも高い第２の描画処理能力に対応するデータのいずれを出力するかを決定し、
バッテリと外部電源のいずれから電源が供給されているかを検出し、
前記決定結果及び前記検出結果に基づいて、前記第１のグラフィックスチップ及び前記第２のグラフィックスチップのいずれかを切り替えて動作させ、
前記グラフィックスチップの切り替えにより、実行中のアプリケーションの動作に支障が生じるか否かを判断し、前記アプリケーションの動作に支障が生じる場合に通知する
情報処理情報。
【請求項２２】
情報処理装置に、
第１のグラフィックスチップが有する第１の描画処理能力に対応するデータと、第２のグラフィックスチップが有する、前記第１の描画処理能力よりも高い第２の描画処理能力に対応するデータのいずれを出力するかを決定するステップと、
バッテリと外部電源のいずれから電源が供給されているかを検出するステップと、
前記決定結果及び前記検出結果に基づいて、前記第１のグラフィックスチップ及び前記第２のグラフィックスチップのいずれかを切り替えて動作させるステップと、
前記グラフィックスチップの切り替えにより、実行中のアプリケーションの動作に支障が生じるか否かを判断し、前記アプリケーションの動作に支障が生じる場合に通知するステップと
を実行させるプログラム。